(57)【要約】【課題】互いに異なる方向を向いて配置された第１および第２発光素子からの出射光を第１および第２リフレクタによって反射させるように構成された灯具において、部品点数を増やすことなくレンズを追加配置可能とする。【解決手段】第１発光素子３０Ａからの出射光を反射させる第１リフレクタ４０Ａと、第２発光素子３０Ｂからの出射光を反射させる第２リフレクタ４０Ｂとを一体成形品４０として構成する。これにより、両者を別部材として構成した場合に比して部品点数を削減可能とする。その上で、第１発光素子３０Ａと第１リフレクタ４０Ａとの間にレンズ４２が配置された構成とする。これにより、第１リフレクタ４０Ａからの反射光によって形成される配光パターンの形状や配光分布の自由度を高める。その際、レンズ４２を一体成形品４０の一部として構成する。これにより、部品点数を増やすことなく上記作用効果が得られるようにする。【選択図】図２
2018049771.tif 000002
【特許請求の範囲】
【請求項１】
互いに異なる方向を向いて配置された第１および第２発光素子と、上記第１発光素子からの出射光を反射させる第１リフレクタと、上記第２発光素子からの出射光を反射させる第２リフレクタと、を備えた灯具において、
上記第１リフレクタと上記第２リフレクタとが一体成形品として構成されており、
上記第１発光素子と上記第１リフレクタとの間に、上記第１発光素子からの出射光を透過制御するレンズが配置されており、
上記レンズは、上記一体成形品の一部として構成されている、ことを特徴とする灯具。
【請求項２】
上記一体成形品は、上記第１リフレクタと上記第２リフレクタとの間に位置する中間部分が上記第１および第２発光素子を灯具前方側から覆うように形成されている、ことを特徴とする請求項１記載の灯具。
【請求項３】
上記第１および第２発光素子は、共通の基板に支持されている、ことを特徴とする請求項１または２記載の灯具。
【請求項４】
上記灯具は車両用灯具であって、上記第１および第２リフレクタからの反射光によって同一種類の配光パターンを形成し得るように構成されている、ことを特徴とする請求項１〜３いずれか記載の灯具。
【請求項５】
上記第１リフレクタは、上記第１発光素子に対して上方側に位置するように配置されており、
上記第１リフレクタからの反射光によってクリアランスランプ用配光パターンを形成し得るように構成されている、ことを特徴とする請求項４記載の灯具。
【発明の詳細な説明】
【技術分野】
【０００１】
本願発明は、互いに異なる方向を向いて配置された第１および第２発光素子からの出射光を第１および第２リフレクタによって反射させるように構成された灯具に関するものである。
【背景技術】
【０００２】
従来より、車両用灯具等においては、互いに異なる方向を向いて配置された第１および第２発光素子と、その出射光を反射させる第１および第２リフレクタとを備えたものが知られている。
【０００３】
「特許文献１」には、このような灯具として、上向きに配置された第１発光素子からの出射光をその上方側に配置された第１リフレクタによって反射させるとともに、下向きに配置された第２発光素子からの出射光をその下方側に配置された第２リフレクタによって反射させるように構成されたものが記載されている。
【先行技術文献】
【特許文献】
【０００４】
【特許文献１】特開２０１６−１０５３７２号公報
【発明の概要】
【発明が解決しようとする課題】
【０００５】
このような灯具において、第１リフレクタからの反射光によって形成される配光パターンの最高光度が過大にならないようにする必要性が生じる場合がある。その対応策として、第１発光素子と第１リフレクタとの間にレンズを配置し、このレンズによって第１発光素子からの出射光を透過制御する構成を採用することが考えられる。
【０００６】
しかしながら、このようにした場合には、第１および第２リフレクタのみならずレンズを支持するための構造が必要となるので、部品点数が増えてしまい、その分のコストが掛かってしまう。
【０００７】
本願発明は、このような事情に鑑みてなされたものであって、互いに異なる方向を向いて配置された第１および第２発光素子からの出射光を第１および第２リフレクタによって反射させるように構成された灯具において、部品点数を増やすことなくレンズを追加配置することができる灯具を提供することを目的とするものである。
【課題を解決するための手段】
【０００８】
本願発明は、第１および第２リフレクタを一体成形品として構成した上で、レンズをその一部として構成することにより、上記目的達成を図るようにしたものである。
【０００９】
すなわち、本願発明に係る灯具は、
互いに異なる方向を向いて配置された第１および第２発光素子と、上記第１発光素子からの出射光を反射させる第１リフレクタと、上記第２発光素子からの出射光を反射させる第２リフレクタと、を備えた灯具において、
上記第１リフレクタと上記第２リフレクタとが一体成形品として構成されており、
上記第１発光素子と上記第１リフレクタとの間に、上記第１発光素子からの出射光を透過制御するレンズが配置されており、
上記レンズは、上記一体成形品の一部として構成されている、ことを特徴とするものである。
【００１０】
上記「互いに異なる方向」の具体的な方向は特に限定されるものではなく、例えば正反対の方向や直交する方向等が採用可能である。
【００１１】
上記「第１および第２発光素子」の種類は特に限定されるものではなく、例えば発光ダイオードやレーザダイオード等が採用可能である。
【００１２】
上記「レンズ」は、第１発光素子と第１リフレクタとの間において第１発光素子からの出射光を透過制御するように構成されていれば、その具体的な配置や透過制御の具体的な内容は特に限定されるものではない。
【発明の効果】
【００１３】
本願発明に係る灯具は、第１発光素子からの出射光を反射させる第１リフレクタと第２発光素子からの出射光を反射させる第２リフレクタとが一体成形品として構成されているので、従来のように第１リフレクタと第２リフレクタとが別部材として構成されている場合に比して部品点数を削減することができる。
【００１４】
その上で、本願発明に係る灯具は、第１発光素子と第１リフレクタとの間にレンズが配置されているので、第１リフレクタからの反射光によって形成される配光パターンの形状や配光分布の自由度を高めることができる。しかも、このレンズは一体成形品の一部として構成されているので、部品点数を増やすことなく上記作用効果を得ることができる。
【００１５】
このように本願発明によれば、互いに異なる方向を向いて配置された第１および第２発光素子からの出射光を第１および第２リフレクタによって反射させるように構成された灯具において、部品点数を増やすことなくレンズを追加配置することができる。
【００１６】
上記構成において、一体成形品の構成として、第１リフレクタと第２リフレクタとの間に位置する中間部分が第１および第２発光素子を灯具前方側から覆うように形成されたものとすれば、一体成形品の存在によって第１および第２発光素子を灯具前方から見えにくくすることができ、これにより灯具の見映えを向上させることができる。
【００１７】
上記構成において、第１および第２発光素子が共通の基板に支持された構成とすれば、部品点数のさらなる削減を図ることができる。
【００１８】
本願発明に係る灯具が車両用灯具である場合において、その構成として、第１および第２リフレクタからの反射光によって同一種類の配光パターンを形成し得るように構成されたものとすれば、第１および第２発光素子の各々に必要な出射光量を比較的小さく抑えることができるので、その点灯回路の簡素化を図ることができる。
【００１９】
その際、第１リフレクタが第１発光素子に対して上方側に位置するように配置された構成とした上で、第１リフレクタからの反射光によってクリアランスランプ用配光パターンを形成し得る構成とすれば、第１発光素子と第１リフレクタとの間に配置されたレンズによって、クリアランスランプ用配光パターンの最高光度が過大にならないようにすることが容易に可能となる。しかも、一体成形品の構成として、第１リフレクタと第１発光素子との間にレンズが配置された構成となっているので、点灯状態にある第１発光素子をレンズの存在によってさほど眩しく感じさせないようにすることができる。
【図面の簡単な説明】
【００２０】
【図１】本願発明の一実施形態に係る灯具をカウルと共に示す正面図
【図２】図１のII−II線断面図
【図３】上記灯具の灯具ユニットを示す正面図
【図４】上記灯具ユニットの要部を示す断面斜視図
【図５】上記灯具から前方へ照射される光により形成される配光パターンを透視的に示す図
【図６】上記実施形態の第１および第２変形例を示す、図４と同様の図
【図７】上記実施形態の第３および第４変形例を示す、図４と同様の図
【発明を実施するための形態】
【００２１】
以下、図面を用いて、本願発明の実施の形態について説明する。
【００２２】
図１は、本願発明の一実施形態に係る灯具１０Ｌ、１０Ｒをカウル５０と共に示す正面図である。
【００２３】
同図に示すように、左右１対の灯具１０Ｌ、１０Ｒは、いずれもクリアランスランプとしての機能を兼ね備えた二輪車用ヘッドランプであって、カウル５０に装着された状態で使用されるようになっている。
【００２４】
左右１対の灯具１０Ｌ、１０Ｒは左右対称の構成を有している。そこで以下においては、左側（灯具正面視では右側）の灯具１０Ｌの構成について説明する。
【００２５】
図２は、図１のII−II線断面図である。
【００２６】
同図に示すように、灯具１０Ｌは、ランプボディ１２と素通し状の透光カバー１４とで形成される灯室内に灯具ユニット２０が収容された構成となっている。
【００２７】
カウル５０には、略横長矩形状の開口部５０ａ、５０ｂが上下２段で互いに離れた位置に形成されている。その際、上段側の開口部５０ａは、下段側の開口部５０ｂよりも狭い上下幅で形成されている。また、カウル５０において開口部５０ａと開口部５０ｂとの間に位置する帯状部分５０ｃは、上段側の開口部５０ａよりも狭い上下幅で形成されている。
【００２８】
透光カバー１４には、略横長矩形状の前方突出部１４ａ、１４ｂが上下２段で互いに離れた位置に形成されている。これら前方突出部１４ａ、１４ｂは、カウル５０の開口部５０ａ、５０ｂにそれぞれ後方側から挿入されている。そしてこれにより、透光カバー１４は、その前面がカウル５０の前面と略面一で延びるように配置されている。
【００２９】
図３は、灯具ユニット２０を示す正面図である。
【００３０】
同図にも示すように、この灯具ユニット２０は、上向きに配置された第１発光素子３０Ａと、下向きに配置された第２、第３および第４発光素子３０Ｂ、３０Ｃ、３０Ｄと、これら第１〜第４発光素子３０Ａ〜３０Ｄの各々からの出射光を前方へ向けて反射させる第１、第２、第３および第４リフレクタ４０Ａ、４０Ｂ、４０Ｃ、４０Ｄとを備えた構成となっている。
【００３１】
４つの第１〜第４発光素子３０Ａ〜３０Ｄは、いずれも白色発光ダイオードであって、略水平面に沿って左右方向に延びる単一の基板３２に搭載されている。その際、第１発光素子３０Ａは、基板３２の上面の左右方向の略中央位置に配置されており、第２発光素子３０Ｂは、基板３２の下面の左右方向の略中央位置に配置されており、第３発光素子３０Ｃは、基板３２の下面の左端部寄りの位置に配置されており、第４発光素子３０Ｄは、基板３２の下面の右端部寄りの位置に配置されている。
【００３２】
第１発光素子３０Ａは、クリアランスランプ点灯モード、ロービーム点灯モードおよびハイビーム点灯モードで点灯し、第２および第３発光素子３０Ｂ、３０Ｃは、ロービーム点灯モードおよびハイビーム点灯モードで点灯し、第４発光素子３０Ｄは、ハイビーム点灯モードで点灯するようになっている。
【００３３】
第１〜第４リフレクタ４０Ａ〜４０Ｄは、一体成形品４０として構成されている。この一体成形品４０は、透明樹脂製（例えばポリカーボネート樹脂製）の射出成形品として構成されており、その前面側の表面における大部分の領域（図３において破線で示す領域（これについては後述する））には、アルミ蒸着等による反射面処理が施されている。
【００３４】
なお、一体成形品４０はランプボディ１２に支持されており、基板３２は一体成形品４０またはランプボディ１２に支持されている。
【００３５】
第１リフレクタ４０Ａは、第１発光素子３０Ａに対して上方側に位置するように配置されている。この第１リフレクタ４０Ａは、図２に示すように、第１発光素子３０Ａからの出射光を、上下方向に一旦収束した後に拡散する光として反射させる反射面４０Ａａを有している。この反射面４０Ａａは、同一の鉛直断面形状で左右方向に延びるように形成されている。
【００３６】
第２リフレクタ４０Ｂは、第２発光素子３０Ｂに対して下方側に位置するように配置されている。この第２リフレクタ４０Ｂは、図２に示すように、第２発光素子３０Ｂからの出射光を上下方向に関してはやや下向きの略平行光として反射させるとともに水平方向に関しては左右両側に大きく拡散する光として反射させる反射面４０Ｂａを有している。
【００３７】
第３リフレクタ４０Ｃは、第３発光素子３０Ｃに対して下方側に位置するように配置されている。この第３リフレクタ４０Ｃは、第２リフレクタ４０Ｂの反射面４０Ｂａと略同様の反射面４０Ｃａを有している。
【００３８】
第４リフレクタ４０Ｄは、第４発光素子３０Ｄに対して下方側に位置するように配置されている。この第３リフレクタ４０Ｃは、第２発光素子３０Ｄからの出射光を上下方向に関しては灯具正面方向へ向けて略平行光として反射させるとともに水平方向に関しては左右両側にある程度拡散する光として反射させる反射面４０Ｄａを有している。
【００３９】
第１リフレクタ４０Ａは、基板３２の上方側において一体成形品４０の全幅にわたって左右方向に延びるように形成されている。一方、第２〜第４リフレクタ４０Ｂ〜４０Ｄは、基板３２の下方側において一体成形品４０を左右方向に略３等分にした左右幅でそれぞれ形成されている。
【００４０】
一体成形品４０は、第１リフレクタ４０Ａおよび第２〜第４リフレクタ４０Ｂ〜４０Ｄの左右両側に１対の側壁部４０ａ、４０ｂが形成された構成となっている。そして、これら側壁部４０ａ、４０ｂにおいて第１リフレクタ４０Ａと第２〜第４リフレクタ４０Ｂ〜４０Ｄとが接続されて一体化されている。
【００４１】
図４は、灯具ユニット２０の要部を示す断面斜視図である。
【００４２】
同図にも示すように、一体成形品４０は、第１リフレクタ４０Ａと第２〜第４リフレクタ４０Ｂ〜４０Ｄとの間に位置する中間部分４０ｃが、第１リフレクタ４０Ａの下端位置から基板３２よりも前方側の位置まで延びた後、下方側へ折れ曲がるように形成されており、これにより基板３２ならびに第１〜第４発光素子３０Ａ〜３０Ｄを前方側から覆うようになっている。
【００４３】
この中間部分４０ｃにおいて第１発光素子３０Ａの上方側に位置する後部領域４０ｃ１は、第１リフレクタ４０Ａの下端位置から前方へ向けて前端部がやや下向きに湾曲して延びるように形成されている。この後部領域４０ｃ１の表面には反射面処理が施されておらず、この後部領域４０ｃ１は第１発光素子３０Ａからの出射光を透過制御するレンズ４２として構成されている。
【００４４】
このレンズ４２は、後部領域４０ｃ１の上面に、前後方向に延びる複数の拡散レンズ素子４２ｓが一体成形品４０の全幅にわたって連続的に形成された構成となっている。そして、このレンズ４２は、その複数の拡散レンズ素子４２ｓにより、第１発光素子３０Ａからの出射光を左右方向に拡散する光として第１リフレクタ４０Ａに入射させるようになっている。
【００４５】
一体成形品４０における中間部分４０ｃの下端縁と第２〜第４リフレクタ４０Ｂ〜４０Ｄの上端縁との間の部分には、横長矩形状の開口部４０ｄが一体成形品４０の全幅にわたって形成されている。これにより第２〜第４発光素子３０Ｂ〜３０Ｄの各々からの出射光を第２〜第４リフレクタ４０Ｂ〜４０Ｄの各々にそのまま入射させるようになっている。
【００４６】
以上のことから、図３において破線で示すように、一体成形品４０の表面において反射面処理が施されている領域は、第１リフレクタ４０Ａの反射面４０Ａａと第２〜第４リフレクタ４０Ｂ〜４０Ｄの反射面４０Ｂ〜４０Ｄと、中間部分４０ｃの表面とに設定されている。
【００４７】
図５は、灯具１０Ｌから前方へ照射される光により、車両前方２５ｍの位置に配置された仮想鉛直スクリーン上に形成される配光パターンを透視的に示す図である。その際、同図（ａ）は、ロービーム用配光パターンＰＬを示しており、同図（ｂ）は、ハイビーム用配光パターンＰＨを示している。
【００４８】
図５（ａ）に示すロービーム用配光パターンＰＬは、第１〜第３発光素子３０Ａ〜３０Ｃの同時点灯によって形成される配光パターンであって、ロービーム用配光パターン本体ＰＬ０とクリアランスランプ用配光パターンＰＣとの合成配光パターンとして形成されている。
【００４９】
ロービーム用配光パターン本体ＰＬ０は、Ｈ−Ｖ（灯具正面方向の消点）を通る水平線であるＨ−Ｈ線よりも下方側において、Ｈ−Ｖを通る鉛直線であるＶ−Ｖ線を中心にして左右両側に大きく拡がる横長の配光パターンとして形成されている。このロービーム用配光パターン本体ＰＬ０の上端縁は、Ｈ−Ｈ線の下方近傍において略水平方向に延びるカットオフラインＣＬとして形成されている。
【００５０】
このロービーム用配光パターン本体ＰＬ０は、第２発光素子３０Ｂから出射して第２リフレクタ４０Ｂで反射した光によって形成される配光パターンと、第３発光素子３０Ｃから出射して第３リフレクタ４０Ｃで反射した光によって形成される配光パターンとを重畳させた配光パターンとして形成されている。
【００５１】
クリアランスランプ用配光パターンＰＣは、第１発光素子３０Ａから出射してレンズ４２を透して第１リフレクタ４０Ａで反射した光によって形成される配光パターンであって、Ｈ−Ｖを中心にして左右両側に大きく拡がるとともに上下両側にもある程度拡がる横長の配光パターンとして形成されている。
【００５２】
このクリアランスランプ用配光パターンＰＣは、ロービーム用配光パターン本体ＰＬ０のカットオフラインＣＬの上方側の空間にも拡がっているが、その明るさは弱いので、ロービーム点灯モードで形成されても対向車等にグレアを与えてしまうおそれはない。
【００５３】
なお、クリアランスランプ点灯モードでは、第１発光素子３０Ａのみが点灯し、クリアランスランプ用配光パターンＰＣが単独で形成されるようになっている。
【００５４】
図５（ｂ）に示すハイビーム用配光パターンＰＨは、第１〜第４発光素子３０Ａ〜３０Ｄの同時点灯によって形成される配光パターンであって、ロービーム用配光パターンＰＬ（すなわちロービーム用配光パターン本体ＰＬ０およびクリアランスランプ用配光パターンＰＣ）と付加配光パターンＰＡとの合成配光パターンとして形成されている。
【００５５】
付加配光パターンＰＡは、第４発光素子３０Ｄから出射して第４リフレクタ４０Ｄで反射した光によって形成される配光パターンであって、Ｈ−Ｖを中心にして左右両側にやや大きく拡がるとともに上下方向にも多少拡がる横長の配光パターンとして形成されている。
【００５６】
なお、右側の灯具１０Ｒからの照射光によっても、灯具１０Ｌからの照射光の場合と同様のクリアランスランプ用配光パターンＰＣ、ロービーム用配光パターンＰＬおよびハイビーム用配光パターンＰＨが形成されるので、二輪車全体としては２倍の明るさでこれらが形成されることとなる。
【００５７】
次に、本実施形態の作用効果について説明する。
【００５８】
本実施形態に係る灯具１０Ｌは、第１発光素子３０Ａからの出射光を反射させる第１リフレクタ４０Ａと第２発光素子３０Ｂからの出射光を反射させる第２リフレクタ４０Ｂとが一体成形品４０として構成されているので、従来のように第１リフレクタ４０Ａと第２リフレクタ４０Ｂとが別部材として構成されている場合に比して部品点数を削減することができる。
【００５９】
その上で、本実施形態に係る灯具１０Ｌは、第１発光素子３０Ａと第１リフレクタ４０Ａとの間にレンズ４２が配置されているので、第１リフレクタ４０Ａからの反射光によって形成される配光パターンの形状や配光分布の自由度を高めることができる。しかも、このレンズ４２は一体成形品４０の一部として構成されているので、部品点数を増やすことなく上記作用効果を得ることができる。
【００６０】
このように本実施形態によれば、互いに異なる方向を向いて配置された第１および第２発光素子３０Ａ、３０Ｂからの出射光を第１および第２リフレクタ４０Ｂによって反射させるように構成された灯具１０Ｌにおいて、部品点数を増やすことなくレンズ４２を追加配置することができる。
【００６１】
しかも本実施形態においては、一体成形品４０の構成として、第１リフレクタ４０Ａと第２リフレクタ４０Ｂとの間に位置する中間部分４０ｃが第１および第２発光素子３０Ａ、３０Ｂならびに基板３２を灯具前方側から覆うように形成されているので、一体成形品４０の存在によって第１および第２発光素子３０Ａ、３０Ｂならびに基板３２を灯具前方から見えにくくすることができ、これにより灯具１０の見映えを向上させることができる。
【００６２】
また本実施形態において、第１および第２発光素子３０Ａ、３０Ｂが共通の基板３２に支持されているので、部品点数のさらなる削減を図ることができる。
【００６３】
本実施形態に係る灯具１０Ｌは、二輪車用ヘッドランプとして構成されているが、第１および第２リフレクタ４０Ａ、４０Ｂからの反射光によってロービーム用配光パターンＰＬ（同一種類の配光パターン）を形成し得る構成となっているので、第１および第２発光素子３０Ａ、３０Ｂの各々に必要な出射光量を比較的小さく抑えることができ、その点灯回路の簡素化を図ることができる。そしてこれによりヒートシンクの不要化等を図ることができる。
【００６４】
しかも本実施形態に係る灯具１０Ｌは、第３発光素子３０Ｃおよび第３リフレクタ４０Ｃを備えており、その照射光によって形成される配光パターンもロービーム用配光パターンＰＬの形成に寄与しているので、第１〜第３発光素子３０Ａ〜３０Ｃの各々に必要な出射光量をさらに小さく抑えることができる。
【００６５】
本実施形態においては、第１リフレクタ４０Ａが第１発光素子３０Ａに対して上方側に位置するように配置されており、第１リフレクタ４０Ａからの反射光によってクリアランスランプ用配光パターンＰＣを形成し得る構成となっているが、第１発光素子３０Ａと第１リフレクタ４０Ａとの間には、第１発光素子３０Ａからの出射光を拡散光として第１リフレクタ４０Ａに入射させるレンズ４２が配置されているので、クリアランスランプ用配光パターンＰＣの最高光度が過大にならないようにすることが容易に可能となり、また、点灯状態にある第１発光素子３０Ａをレンズ４２の存在によってさほど眩しく感じさせないようにすることができる。
【００６６】
上記実施形態においては、灯具１０が、クリアランスランプとしての機能を兼ね備えた二輪車用ヘッドランプであるものとして説明したが、四輪車用ヘッドランプ等であってもよく、また、ヘッドランプ以外の車両用灯具（例えば、フォグランプ、デイタイムランニングランプ、テールランプ、ストップランプ、ターンシグナルランプ、ルームランプ等）であってもよく、さらには車両用灯具以外の灯具であってもよい。
【００６７】
次に、上記実施形態の変形例について説明する。
【００６８】
まず、上記実施形態の第１変形例について説明する。
【００６９】
図６（ａ）は、本変形例に係る灯具ユニット１２０の要部を示す、図４と同様の図である。
【００７０】
この灯具ユニット１２０の基本的な構成は上記実施形態の灯具ユニット２０と同様であるが、一体成形品１４０の構成が上記実施形態の場合と一部異なっている。
【００７１】
すなわち、本変形例の一体成形品１４０も、第１発光素子３０Ａと第１リフレクタ４０Ａとの間に第１発光素子３０Ａからの出射光を透過制御するレンズ１４２が配置された構成となっているが、このレンズ１４２の形成範囲が、中間部分１４０ｃの後部領域１４０ｃ１の全幅にわたってではなく、第１発光素子３０Ａの上方に位置する一定幅の領域に限定されている。そして、後部領域１４０ｃ１におけるレンズ１４２の左右両側に位置する部分の上面には反射面処理が施されている。レンズ１４２は、上記実施形態の場合と同様、前後方向に延びる複数の拡散レンズ素子１４２ｓとして構成されている。
【００７２】
本変形例の構成を採用した場合においても、レンズ１４２における複数の拡散レンズ素子１４２ｓにより、第１発光素子３０Ａからの出射光を左右方向に拡散する光として第１リフレクタ４０Ａに入射させることができ、また、点灯状態にある第１発光素子３０Ａをレンズ１４２の存在によってさほど眩しく感じさせないようにすることができる。
【００７３】
次に、上記実施形態の第２変形例について説明する。
【００７４】
図６（ｂ）は、本変形例に係る灯具ユニット２２０の要部を示す、図４と同様の図である。
【００７５】
この灯具ユニット２２０の基本的な構成は上記実施形態の灯具ユニット２０と同様であるが、一体成形品２４０の構成が上記実施形態の場合と一部異なっている。
【００７６】
すなわち、本変形例の一体成形品２４０も、第１発光素子３０Ａと第１リフレクタ４０Ａとの間に第１発光素子３０Ａからの出射光を透過制御するレンズ２４２が配置された構成となっているが、このレンズ２４２は、中間部分２４０ｃの後部領域２４０ｃ１の上面にシボ加工等による光拡散処理を施すことにより形成された光拡散面２４２ｓとして構成されている。
【００７７】
本変形例の構成を採用した場合においても、レンズ２４２における光拡散面２４２ｓにより、第１発光素子３０Ａからの出射光を左右方向および前後方向に拡散する光として第１リフレクタ４０Ａに入射させることができ、また、点灯状態にある第１発光素子３０Ａをレンズ２４２の存在によってさほど眩しく感じさせないようにすることができる。
【００７８】
次に、上記実施形態の第３変形例について説明する。
【００７９】
図７（ａ）は、本変形例に係る灯具ユニット３２０の要部を示す、図４と同様の図である。
【００８０】
この灯具ユニット３２０の基本的な構成は上記実施形態の灯具ユニット２０と同様であるが、一体成形品３４０の構成が上記実施形態の場合と一部異なっている。
【００８１】
すなわち、本変形例の一体成形品３４０においては、その中間部分３４０ｃの下端縁と第２〜第４リフレクタ４０Ｂ〜４０Ｄの上端縁との間の部分に、上記実施形態の一体成形品４０のような開口部４０ｄは形成されておらず、中間部分３４０ｃが第２〜第４リフレクタ４０Ｂ〜４０Ｄの上端縁まで延長形成されている。
【００８２】
この延長形成部分の後部領域３４０ｃ２は、上側の後部領域３４０ｃ１を上下に反転させたような形状を有している。この延長形成部分の下面における後部領域３４０ｃ２以外の部分には反射面処理が施されているが、後部領域３４０ｃ２の部分には反射面処理が施されておらず、これにより素通しレンズ部３４０ｅとして構成されている。
【００８３】
本変形例の構成を採用した場合においても、上記実施形態と略同様の作用効果を得ることができる。
【００８４】
なお、本変形例の構成を採用した上で、素通し部３４０ｅにレンズ機能を持たせるようにすることも可能である。
【００８５】
次に、上記実施形態の第４変形例について説明する。
【００８６】
図７（ｂ）は、本変形例に係る灯具ユニット４２０の要部を示す、図４と同様の図である。
【００８７】
この灯具ユニット４２０の基本的な構成は上記実施形態の灯具ユニット２０と同様であるが、上記実施形態の単一の基板３２の代わりに２枚の基板４３２、４３４が配置された構成となっており、これに伴って一体成形品４４０の構成が上記実施形態の場合と一部異なっている。
【００８８】
基板４３２は、上記実施形態の基板３２と同じ位置に配置されているが、基板３２の前部領域が欠けたような形状を有している。そして、この基板４３２の上面には、上記実施形態の場合と同じ配置で第１発光素子３０Ａが搭載されている。
【００８９】
基板４３４は、基板４３２の下方近傍においてやや後方斜め下がりで配置されている。この基板４３２の下面には、上記実施形態の場合と同様の配置で第２〜第４発光素子３０Ｂ〜３０Ｄが搭載されている。
【００９０】
一体成形品４４０の基本的な構成は、上記実施形態の一体成形品４０と同様であるが、その中間部分４４０ｃの下端縁が上記実施形態の場合よりも下方まで延びており、これにより第１〜第２発光素子３０Ａ〜３０Ｄならびに基板４３２、４３４を灯具前方側から覆う構成となっている。
【００９１】
なお、本変形例においては、上記実施形態の場合よりも第２〜第４発光素子３０Ｂ〜３０Ｄがやや下方に位置しているので、その分だけ第２〜第４リフレクタ４０Ｂ〜４０Ｄも下方に変位した状態で配置されている。
【００９２】
本変形例の構成を採用した場合においても、上記実施形態と略同様の作用効果を得ることができる。
【００９３】
なお、上記実施形態およびその変形例において諸元として示した数値は一例にすぎず、これらを適宜異なる値に設定してもよいことはもちろんである。
【００９４】
また、本願発明は、上記実施形態およびその変形例に記載された構成に限定されるものではなく、これ以外の種々の変更を加えた構成が採用可能である。
【符号の説明】
【００９５】
１０Ｌ、１０Ｒ  灯具
１２  ランプボディ
１４  透光カバー
１４ａ、１４ｂ  前方突出部
２０、１２０、２２０、３２０、４２０  灯具ユニット
３０Ａ  第１発光素子
３０Ｂ  第２発光素子
３０Ｃ  第３発光素子
３０Ｄ  第４発光素子
３２、４３２、４３４  基板
４０、１４０、２４０、３４０、４４０  一体成形品
４０Ａ  第１リフレクタ
４０Ａａ、４０Ｂａ、４０Ｃａ、４０Ｄａ  反射面
４０Ｂ  第２リフレクタ
４０Ｃ  第３リフレクタ
４０Ｄ  第４リフレクタ
４０ａ、４０ｂ  側壁部
４０ｃ、１４０ｃ、２４０ｃ、３４０ｃ、４４０ｃ  中間部分
４０ｃ１、１４０ｃ１、２４０ｃ１、３４０ｃ１、３４０ｃ２  後部領域
４０ｄ  開口部
４２、１４２、２４２  レンズ
４２ｓ、１４２ｓ  拡散レンズ素子
５０  カウル
５０ａ、５０ｂ  開口部
５０ｃ  帯状部分
２４２ｓ  光拡散面
３４０ｅ  素通し部
ＣＬ  カットオフライン
ＰＣ  クリアランスランプ用配光パターン
ＰＨ  ハイビーム用配光パターン
ＰＬ  ロービーム用配光パターン
ＰＬ０  ロービーム用配光パターン本体
【図１】
2018049771.tif 000003
【図２】
2018049771.tif 000004
【図３】
2018049771.tif 000005
【図４】
2018049771.tif 000006
【図５】
2018049771.tif 000007
【図６】
2018049771.tif 000008
【図７】
2018049771.tif 000009